(57)【要約】【課題】ナビゲーション装置、ＧＰＳを搭載した携帯電話装置やＰＤＡ等の普及により通信によるサービス情報の需要が高まり、また広告が増加する。このような多量の案内の中から、使用者が所望する案内を容易に絞り込む。【解決手段】局より検索データと案内データを有した１以上の案内を受信する送受信回路６と、検索条件を指定する入力部７と、入力部７により指定された検索条件を満足する前記案内の案内データを受信させる制御回路１を備える。【選択図】　　　　図３
2004128543.tif 000002
【特許請求の範囲】
【請求項１】
局より検索データと案内データを有した１以上の案内を受信する受信手段と、検索条件を指定する入力手段と、該入力手段により指定された検索条件を満足する前記案内の案内データを受信させる制御手段を備えたことを特徴とする案内受信装置。
【請求項２】
局より日時制限データと案内データを有した１以上の案内を受信する受信手段と、日時条件を指定する入力手段と、該入力手段により指定された日時条件を満足する前記案内の案内データを受信させる制御手段を備えたことを特徴とする案内受信装置。
【請求項３】
局より時刻制限データ、位置データおよび案内データを有した１以上の案内を受信する受信手段と、地図情報と、現在位置を検出する現在位置検出手段と、
前記時刻制限データと位置データを受信して案内の位置に到達する時刻を予測し、予測した時刻が前記時刻制限データを満足する前記案内の案内データを受信させる制御手段を備えたことを特徴とする案内受信装置。
【発明の詳細な説明】
【０００１】
【発明の属する技術分野】
局より検索データと案内データを有した案内を受信する案内受信装置に関する。
【０００２】
【従来の技術】
車載用ナビゲーション装置は観光案内やガソリンスタンド等の案内をＤＶＤ等の記憶媒体に記憶している。そして、この案内を保有件数や更新の面で改善するべく、案内を通信でダウンロードすることが考えられた（例えば、特許文献１参照。）。更に、この案内に広告を追加することも考えられた。また、携帯電話やＰＤＡ（Ｐｅｒｓｏｎａｌ　Ｄｉｇｉｔａｌ　Ａｓｓｉｓｔａｎｔ）等の小さな画面にも案内を表示することが考えられた。
【０００３】
【特許文献１】
特開平１１−２６６３２９号公報（第１頁）
【０００４】
【発明が解決しようとする課題】
これにより、広告を含む案内が膨大の量になり、特に、小さな表示画面では所望の案内が見づらくなる。
【０００５】
【課題を解決するための手段】
本発明の案内受信装置はかかる点に鑑みなされたもので、局より検索データと案内データを有した１以上の案内を受信する受信手段と、検索条件を指定する入力手段と、該入力手段により指定された検索条件を満足する前記案内の案内データを受信させる制御手段を備える。
【０００６】
また、局より日時制限データと案内データを有した１以上の案内を受信する受信手段と、日時条件を指定する入力手段と、該入力手段により指定された日時条件を満足する前記案内の案内データを受信させる制御手段を備える。
【０００７】
また、局より時刻制限データ、位置データおよび案内データを有した１以上の案内を受信する受信手段と、地図情報と、現在位置を検出する現在位置検出手段と、前記時刻制限データと位置データを受信して案内の位置に到達する時刻を予測し、予測した時刻が前記時刻制限データを満足する前記案内の案内データを受信させる制御手段を備える。
【０００８】
【発明の実施の形態】
本発明の第１の実施例を図面に基づき説明する。本実施例のナビゲーション装置は地図情報や周辺情報を記憶容量の小さい記憶媒体から読み取る装置である。
【０００９】
図１は実施例の要部の構成を示すブロック図である。（１）は制御回路であり、ＲＯＭ（２）に書き込まれたプログラムに基づいて各部を制御する。（３）はＲＡＭであり、制御回路（１）の動作に必要な情報を記憶する。（４）はＧＰＳ（Ｇｌｏｂａｌ　Ｐｏｓｉｔｉｏｎｉｎｇ　Ｓｙｓｔｅｍ）測位手段であり、ＧＰＳ衛星からの電波を受信して現在位置を測定し、測定データを制御回路（１）に出力する。（５）はＤＶＤ再生装置であり、複数の尺度の地図情報が書き込まれているＤＶＤから地図情報を読み取る。（６）は送受信回路であり、局とデータの送受信を行う。（７）は使用者が操作を行う入力部である。（８）は液晶の表示部であり、地図情報や周辺情報や現在位置を制御回路（１）の制御に基づき表示する。
【００１０】
上記構成により、ナビゲーション装置は局よりサービス情報や広告等の案内を送受信回路（６）を介してダウンロードし、ＲＡＭ（３）に保存する。各案内は案内データの他に図２に例示する検索データを有する。案内データとは、名称、位置や内容データ（例えば、レストランであればメニュー、ガソリンスタンドであればガソリンの価格）である。
【００１１】
図２に例示する検索データについて説明する。サービス情報や広告等の案内は多く、これを全て受信することは、通信時間、通信費用、表示能力、検索の点で障害となる。そこで、本願発明は、内容データをダウンロードする前に、使用者が設定した条件に合致する内容データのみを受信するようにする。このための条件の設定の例が図２の表である。
【００１２】
Ａグループの種別条件Ａとして、０番は“無し”、　１番は“スポーツ”　、２番は“レジャー”　、３番は“セール”　、４番は“パチンコ”　、５番は“イベント”である。Ｂグループの種別条件Ｂとして、０番は“無し”、　１番は“マーケット”　、２番は“ガソリンスタンド”　、３番は“観光地”　、４番は“食事処”　である。Ｃグループの位置条件として、０番は“無し”、　１番は“県内”　、２番は“現在地周辺”　、３番は“目的地周辺”である。Ｄグループの日時条件として、０番は“無し”、　１番は“有効時間”　、２番は“有効期日”　、３番は“無効曜日”である。
【００１３】
全グループにおいて、使用者は１番以降の中から複数を選択することができる。いずれも選択しなかった場合は自動的に０番の“無し”が選択され、そのグループの全ての内容データがダウンロードされることになる。グループＡ〜Ｂの条件関係は論理で示すと、（グループＡ　ｏｒ　グループＢ）　ａｎｄ　グループＣ　ａｎｄ　グループＤである。
【００１４】
曲から内容データをダウンロードする前に、受信する検索データは、図２に示す如く、例えば、情報名が割烹○○、種別条件Ｂが食事処、位置が東経１３５度１２秒北緯３５度２４秒、開店時間が１１：００〜２０：００、休日が水曜日の場合、検索データは“Ｎ；割烹○○／Ｂ４／Ｃ；１３５１２，０３５２４／Ｄ１；１１００，２０００／Ｄ３；３”となる。このように、各条件の項目番号と必要なデータの間にセミコロン“；”を入れ、各項目の間にスラッシュ“／”を入れる。
【００１５】
次に本発明の動作を説明する。図３は制御回路（１）の動作を示すフローチャートであり、図４は図３のステップＳ７の詳細な動作を示すフローチャートである。図２に示す設定条件の操作が入力部（７）によって行われると、制御回路（１）は操作された条件をＲＡＭ（３）に記憶させる（Ｓ１，Ｓ２）。
【００１６】
制御回路（１）は受信指示を受信すると（Ｓ３のＹ）、検索データを局から受信する（Ｓ４）。ここで、受信指示とは、種々の場合が該当する。例えば、入力部（７）が操作されたときに受信を開始する場合（例えば、出発時の準備の場合）や、所定距離移動する度あるいは所定時間経過する度や、局からの起動信号（例えば、レストランやコンビに近づいたときに局から送信される広告の報知信号）による場合が考えられる。
【００１７】
受信した１以上の案内の検索データに基づいて、種別条件Ａまたは種別条件Ｂに合致するものを選択する（Ｓ５）。これによって、案内が設定された種別に絞られる。次に、位置条件に合致するものを選択する（Ｓ６）。これによって、案内が設定された位置（領域）に絞られる。次に、日時条件に合致するものを選択する（Ｓ７）。
【００１８】
ステップＳ７の詳細な動作を図４に基づき説明する。ステップＳ６までの絞込み後、処理する案内が残っていれば（Ｓ１１）、制御回路（１）は最初の案内を処理の対象として選択する（Ｓ１２）。選択した案内の到達日時を予測計算する（Ｓ１３）。予測計算は現在位置から案内の位置までの最短距離を模擬走行することで計算される。模擬走行は道路種別、車線数、右折左折の数、信号機・鉄道遮断機の数、道路交通情報等を考慮して計算される。
【００１９】
日時設定条件が予測された到達日時が間に合わないときは、その案内を内容データのダウンロード選択から除外する（Ｓ１５）。余裕があって間に合う場合は（例えば、３０分前に到達する場合は）（Ｓ１６のＹ）、ステップＳ１８に進む。余裕が無い場合は（Ｓ１６のＮ）、制御回路（１）はその案内にタイマー付きのフラグを付ける。タイマー付きのフラグがあった場合、その案内を表示するときに残り時間を表示させる。例えば、銀行が閉店になるまでの時間を表示する。このような日時条件に合致するものの選択処理が全ての案内について行われる（Ｓ１８，Ｓ１９，Ｓ１３）。
【００２０】
図３に戻り、ステップＳ７の処理後、即ち、使用者によって設定された条件により絞り込まれた案内の案内データのみをダウンロードし、ＲＡＭ（３）に記憶させる（Ｓ８）。ＲＡＭ（３）に記憶された案内データは必要に応じて（例えば、走行中に、経路設定時に、サービスや広告検索時に）表示される。また、タイマー付きの案内は残り時間が表示される。
【００２１】
【発明の効果】
ナビゲーション装置、ＧＰＳを搭載した携帯電話装置やＰＤＡ等の普及により通信によるサービス情報の需要が高まり、また広告が増加する。このような多量の案内の中から、使用者が所望する案内を容易に絞り込むことができ、通信時間、通信費用、表示器の大きさ、検索の点で有効となる。
【図面の簡単な説明】
【図１】本発明の要部の構成を示すブロック図である。
【図２】条件の設定内容及び検索データを示す図である。
【図３】本発明の要部の動作を示すフローチャートである。
【図４】図３のステップＳ７の詳細な動作を示すフローチャートである。
【符号の説明】
１　制御回路
４　ＧＰＳ測位手段
６　送受信回路
７　入力部
【図１】
2004128543.tif 000003
【図２】
2004128543.tif 000004
【図３】
2004128543.tif 000005
【図４】
2004128543.tif 000006